(57)【特許請求の範囲】
【請求項１】
スイッチ本体の内部に収納された接点部と、該接点部の切換操作を行うためにスイッチ本体の表面に回動自在に設けられた操作部とを備え、接点部は、スイッチ本体内部に収められて外部の電線と接続される第１及び第２の端子板と、導電材料から平板状に形成され一面に可動接点を有し第１の端子板と接触した状態で回動する開閉体と、操作部に一端部が保持されるとともに他端部が開閉体に保持され操作部の回動操作に応じて開閉体に反転回動力を付与するコイルスプリングと、第２の端子板に設けられ開閉体の回動に応じて可動接点と接触・開離する固定接点とを具備し、コイルスプリングと対向する開閉体の部位にコイルスプリングの他端部内に挿入される突出片を設けるとともに、該突出片の両側部の各全面にコイルスプリングの他端部と面接触する１つの平坦面を各々形成し、平坦面の形成された開閉体の部位を、開閉体の平面方向と略直交する方向において反対側にそれぞれ突出させたことを特徴とするスイッチ装置。
【請求項２】
平坦面の形成された開閉体の部位を、開閉体の平面方向と略直交する方向において反対側にそれぞれ突出させるとともに、平坦面の形成された開閉体の部位の平面方向と略直交する方向への突出量を、突出片との連結部位から外側に行くにつれて徐々に大きくしたことを特徴とする請求項１記載のスイッチ装置。
【発明の詳細な説明】
【０００１】
【発明の属する技術分野】
本発明は、スイッチ装置に関するものである。
【０００２】
【従来の技術】
この種のスイッチ装置としては、固定接点と、固定接点に接離自在に接触する可動接点が固着されスイッチ本体の内部に揺動自在に取り付けられた開閉体と、操作部に一端部が保持されるとともに他端部が開閉体に保持され操作部の回動操作に応じて開閉体に反転回動力を付与するコイルスプリングとを備えたものがあり、操作部の反転操作に応じてコイルスプリングが反対側に反り、開閉体が反転駆動するようになっている。
【０００３】
【発明が解決しようとする課題】
上記構成のスイッチ装置では、開閉体にコイルスプリングの一端部が嵌り込む突出片を設けており、コイルスプリングは一端部を開閉体に設けた突出片に挿入した状態でスイッチ本体内部に取り付けられていた。ここで、開閉体の動きをスムーズにするために、突出片の両側に面取り加工を施し、面取り部にコイルスプリングを着座させるようにしものも提供されているが、コイルスプリングが面取り部に着座するため、コイルスプリングと開閉体との接触面積が小さくなっていた。そのため、操作部の反転操作に応じてコイルスプリングが反対側に反り、開閉体が反転位置まで移動した場合に、コイルスプリングの位置が安定せず、開閉体に加わるコイルスプリングのばね力が変化して、接点の接触圧が変動する虞があった。
【０００４】
本発明は上記問題点に鑑みて為されたものであり、その目的とするところは、接点部の反転動作を安定させたスイッチ装置を提供することにある。
【０００５】
【課題を解決するための手段】
上記目的を達成するために、請求項１の発明では、スイッチ本体の内部に収納された接点部と、該接点部の切換操作を行うためにスイッチ本体の表面に回動自在に設けられた操作部とを備え、接点部は、スイッチ本体内部に収められて外部の電線と接続される第１及び第２の端子板と、導電材料から平板状に形成され一面に可動接点を有し第１の端子板と接触した状態で回動する開閉体と、操作部に一端部が保持されるとともに他端部が開閉体に保持され操作部の回動操作に応じて開閉体に反転回動力を付与するコイルスプリングと、第２の端子板に設けられ開閉体の回動に応じて可動接点と接触・開離する固定接点とを具備し、コイルスプリングと対向する開閉体の部位にコイルスプリングの他端部内に挿入される突出片を設けるとともに、該突出片の両側部の各全面にコイルスプリングの他端部と面接触する１つの平坦面を各々形成し、平坦面の形成された開閉体の部位を、開閉体の平面方向と略直交する方向において反対側にそれぞれ突出させたことを特徴とし、開閉体の突出片をコイルスプリングの他端部内に挿入した状態で、突出片の両側部の各全面に設けた１つの平坦面とコイルスプリングの他端部とを面接触させているので、コイルスプリングが開閉体の端部に設けた面取り部で接触する場合に比べて、開閉体とコイルスプリングとの接触面積が増加し、開閉体が回動する場合でも開閉体に対するコイルスプリングの位置を常に安定させることができる。したがって、コイルスプリングの反転回動力を開閉体に確実に作用させて、接点部の反転動作を安定して行わせることができる。  
【０００６】
請求項２の発明では、請求項１の発明において、平坦面の形成された開閉体の部位を、開閉体の平面方向と略直交する方向において反対側にそれぞれ突出させるとともに、平坦面の形成された開閉体の部位の平面方向と略直交する方向への突出量を、突出片との連結部位から外側に行くにつれて徐々に大きくしたことを特徴とし、請求項１の発明と同様、コイルスプリングの平坦面とコイルスプリングの他端部とを面接触させているので、コイルスプリングが開閉体の端部に設けた面取り部で接触する場合に比べて、開閉体とコイルスプリングとの接触面積が増加し、開閉体が回動した場合でも開閉体に対するコイルスプリングの位置を常に安定させることができる。
【０００７】
【発明の実施の形態】
（基本構成）
図２にスイッチ装置の基本構成を示す分解斜視図を示し、図３（ａ）に正面図、図３（ｂ）に下面図、図３（ｃ）に側面図、図４に断面図をそれぞれ示す。
【０００８】
このスイッチ装置は、前面が開口した略箱状の合成樹脂製のボディ１と、前面が略矩形状に形成されるとともに、ボディ１の前面に被着される合成樹脂製のカバー２とで構成されるスイッチ本体１０を備えている。ボディ１の長手方向の両側面にはそれぞれ一対の係止凸部３が突設されるとともに、カバー２の後端縁からは係止凸部３と係止離脱自在に係止する係止孔４がそれぞれ穿設された舌片５が突設されており、係止凸部３と係止孔４とを凹凸係止させることによってボディ１とカバー２とが組み立てられる。
【０００９】
ボディ１の内部は隔壁によって複数の区画に仕切られており、速結端子部６を収納する端子収納室７，７が両側に設けられ、後述の接点部８を収納する接点収納室９が略中央に設けられている。なお、本基本構成では接点部８として単極切り換えに用いる３路スイッチ（所謂Ｃ接点タイプ）を用いている。
【００１０】
端子収納室７，７にはそれぞれ導電材料から形成された端子板１１ａ，１１ｂ，１２が収納されている。第２の端子板たる一対の端子板１１ａ，１１ｂはそれぞれ略コ字状に形成されたコ字状部１３を有し、各コ字状部１３に鎖錠ばね１５がそれぞれ収納されて、速結端子部６が構成してある。同様に第１の端子板たる端子板１２も略コ字状に形成されたコ字状部１４を有しており、コ字状部１４に一対の鎖錠ばね１５が収納されて、速結端子部６が構成してある。
【００１１】
ここで、端子板１１ａ，１１ｂのコ字状部１３、端子板１２のコ字状部１４および鎖錠ばね１５から構成される速結端子部６について簡単に説明する。鎖錠ばね１５の鎖錠片１５ｂおよび接触片１５ｃは、弾性を有する導電材料の帯板の両端部を曲成して中央片１５ａの両端部に形成される。また、各コ字状部１３，１４は、それぞれ、中央片１３ａ，１４ａと、中央片１３ａ，１４ａの両端縁から中央片１３ａ，１４ａと略直交する方向にそれぞれ突出する当接片１３ｂ，１４ｂおよび接触片１３ｃ，１４ｃから構成される。そして、鎖錠ばね１５の中央片１５ａは、端子板１１ａ，１１ｂ，１２の当接片１３ｂ，１４ｂに当接し、鎖錠片１５ｂおよび接触片１５ｃが端子板１１ａ，１１ｂ，１２の接触片１３ｃ，１４ｃと対向する。また各端子収納室７内には、一対の鎖錠ばね１５の鎖錠片１５ｂと対向させて解除釦１７が収納されている。
【００１２】
速結端子部６に電線を接続する場合には、電線の被覆が剥かれた芯線（図示せず）を電線挿入孔１６から挿入すると、鎖錠ばね１５のばね力により鎖錠ばね１５の鎖錠片１５ｂ及び接触片１５ｃと、端子板１１ａ，１１ｂ，１２の接触片１３ｃ，１４ｃとの間に芯線の導体が挟持され、鎖錠片１５ｂの先端縁が芯線の導体に食い込むことによって、芯線の脱落が防止されるようになっている。したがって、電線挿入孔１６に電線の芯線を挿入するだけで、電線の芯線が保持されるとともに、端子板１１ａ，１１ｂ，１２への電気的接続がなされるのである。
【００１３】
速結端子部６に接続された電線の芯線を外す場合は、ボディ１の底面に穿設された工具挿入孔１８からマイナスドライバなどの工具を挿入して、解除釦１７を押圧することにより、解除釦１７の突起１７ａが鎖錠片１５ｂを押圧して、鎖錠片１５ｂを端子板１１ａ，１１ｂ，１２の接触片１３ｃ，１４ｃから離れる向きに撓ませるので、鎖錠片１５ｂが芯線の導体から離れ、芯線を容易に引き抜くことができる。尚、解除釦１７は両側に突起１７ａを有しているので、解除釦１７を操作することによって一対の鎖錠ばね１５の鎖錠片１５ｂを同時に撓ませて、一対の鎖錠ばね１５と芯線との係止状態を同時に解除し、芯線を一度に外すことができる。
【００１４】
一方、接点部８は端子板１１ａ，１１ｂ，１２と可動接点板１９とで構成される。端子板１２の当接片１４ｂの端部からは、先端に開閉体たる可動接点板１９の揺動支点となる支点凹所２２が形成された支持片２３が突設されている。一対の端子板１１ａ，１１ｂの内、一方の端子板１１ａの中央片１３ａと当接片１３ｂとの連結部位には、固定接点２１ａが先端に固着された略Ｌ字状の端子片２０ａが延設され、他方の端子板１１ｂの中央片１３ａと当接片１３ｂとの連結部位には、固定接点２１ｂが先端に固着された略Ｌ字状の端子片２０ｂが延設されており、両端子板１１ａ，１１ｂは固定接点２１ａ，２１ｂを互いに対向させた状態でボディ１内に配置される。可動接点板１９は導電材料よりなる帯板から短冊状に形成され、両面には固定接点２１ａ，２１ｂとそれぞれ接離自在に接触する可動接点２４ａ，２４ｂが固着されている。
【００１５】
而して、ボディ１の接点収納室９内に端子板１１ａ，１１ｂ，１２を収納した状態で、可動接点板１９を接点収納室９内に納めると、可動接点板１９下端部が端子板１２の支点凹所２２と当接し、可動接点板１９が支点凹所２２を中心として揺動自在に配置される。
【００１６】
一方、カバー２は前面に略矩形状の開口２５が形成され、開口２５の長手方向略中央の開口縁には前方に突出する軸受け台２６が突設されており、各軸受け台２６の互いに対向する面には溝２７が形成されている。また、カバー２の短幅方向の両側面には、カバー２の前面よりも一段高くなった段部２８，２８が形成され、各段部２８にはそれぞれ側方に突出する一対の係止爪２９が突設されており、係止爪２９を用いて施工面に固定される取付枠（図示せず）にスイッチ本体１０を取り付けることができる。
【００１７】
接点部８の開閉操作を行うための合成樹脂製の反転ハンドル３０は背面が開口した略箱状であって、前面が略矩形状に形成されており、長手方向の両側面にはカバー２の溝２７に入り込む突起３１がそれぞれ突設されている。また、反転ハンドル３０前面の長手方向における一端側には開口３４が穿設され、開口３４の両側には側方に突出する爪３５，３５が突設され、反転ハンドル３０前面の長手方向における他端側略中央には側方に突出する爪３６が突設されている。また、カバー２前面の裏側にはコイルスプリング３２の端部が納められる棒状突起３０ａが設けられている。
【００１８】
反転ハンドル３０の前面側には合成樹脂製の操作ハンドル３８が着脱自在に取り付けられる。操作ハンドル３８は、反転ハンドル３０の前面を覆う矩形状の主部３８ａと主部３８ａの周縁から全周にわたって背方に突出する側壁３８ｂとを連続一体に形成した略箱型のもので、主部３８ａの裏面には弾性を有する係止爪片３９，４０が突設されている。係止爪片３９，４０の先端には内方に突出する爪３９ａ，４０ａが突設され、係止爪片３９，４０の爪３９ａ，４０ａと反転ハンドル３０の爪３５，３６とを係止させることにより、操作ハンドル３８が反転ハンドル３０の前面に取り付けられる。ここに、反転ハンドル３０と操作ハンドル３８とで接点部８の切換操作を行うための操作部が構成される。
【００１９】
また、このスイッチ装置では、照明負荷のオフ時に点灯してスイッチ装置の設置位置を表示するネオンランプ５３を有する点灯表示部５２を反転ハンドル３０内に組み込み、反転ハンドル３０の前面に穿設された開口３４にネオンランプ５３を臨ませている。また、操作ハンドル３８の前面における反転ハンドル３０の開口３４と対向する部位には、操作ハンドル３８を貫通する長孔状の孔３８ｃが穿設されている。プリズム５５は孔３８ｃおよび開口３４に挿通され先端が操作ハンドル３８前面から突出する細長の凸部５６を有しており、操作ハンドル３８の裏面側から孔３８ｃ内に凸部５６を挿入した状態で操作ハンドル３８にかしめ固定される。而して、操作ハンドル３８を反転ハンドル３０に取り付けると、プリズム５５の入射面５７がネオンランプ５３に対向して配置される。
【００２０】
点灯表示部５２は、合成樹脂製の回路基板５２ａにネオンランプ５３及び抵抗を実装して成り、回路基板５２ａの略中央には圧入孔５２ｂが形成されており、この圧入孔５２ｂに反転ハンドル３０の棒状突起３０ａを圧入することで回路基板５２ａが棒状突起３０ａに固定され反転ハンドル３０内に納装される。この時、ネオンランプ５３及び抵抗は反転ハンドル３０内の棒状突起３０ａ周囲のスペースに収納される。また、回路基板５２ａの下面（非実装面）の一側両端部には図示しない接点部が設けてあり、これらの接点部が回路基板５２ａ上のネオンランプ５３並びに抵抗と電気的に接続されている。一方、端子板１１ａ，１１ｂの各上面部には、それぞれ弾性を有する略く字状の接触子５４の基部がレーザ溶接などにより固着してあり、各接触子５４の先端部を回路基板５２ａの接点部と弾接するようにして、端子板１１ａ，１１ｂ並びに端子板１２の上方に回路基板５２ａが配置されている。従って、ネオンランプ５３及び抵抗は、端子板１１ａ，１１ｂに電気的に接続されている。
【００２１】
ところで、このスイッチ装置は、例えば照明負荷と交流電源との間に２個接続されて３路スイッチ回路を構成するために用いられ、照明負荷に２個のスイッチ装置を介して電源が給電されている状態では、ネオンランプ５３には通電されず、ネオンランプ５３は点灯しない。一方、何れか一方のスイッチ装置の操作ハンドル３８を操作して接点状態を反転させると、照明負荷には電源が給電されなくなるが、各スイッチ装置のネオンランプ５３に通電され、ネオンランプ５３が点灯する。ネオンランプ５３の発光はプリズム５５の入射面５７に入射し、プリズム５５内で屈折されて凸部５６から外部に出射されるので、照明負荷の消灯時にスイッチ装置の位置を表示することができる。
【００２２】
次にこのスイッチ装置の動作について以下に簡単に説明する。操作ハンドル３８および反転ハンドル３０が図４中右下がりに傾斜し、可動接点２４ａが固定接点２１ａと接触している状態で、操作ハンドル３８の図４中左側を押圧すると、操作ハンドル３８を押圧する力によって反転ハンドル３０が反転動作し、図中左下がりに傾斜した状態となる。この時反転ハンドル３０の反転動作に応じてコイルスプリング３２は図４中右側に反るため、コイルスプリング３２の曲がり具合に応じて可動接点板１９が支点凹所２２を支点として図４中右回りに回動し、可動接点２４ａが固定接点２１ａと開離するとともに、可動接点２４ｂが固定接点２１ｂと接触する。この時、反転ハンドル３０はコイルスプリング３２のばね力によって反転した状態を保持し、可動接点２４ｂと固定接点２１ｂとが接触した状態を保持する。
【００２３】
一方、操作ハンドル３８および反転ハンドル３０が図４中左下がりに傾斜し、可動接点２４ｂが固定接点２１ｂと接触している状態で、操作ハンドル３８の図４中右側を押圧すると、操作ハンドル３８を押圧する力によって反転ハンドル３０が反転動作し、図４中右下がりに傾斜した状態となる。この時反転ハンドル３０の反転動作に応じてコイルスプリング３２は図４中左側に反るため、コイルスプリング３２の曲がり具合に応じて可動接点板１９が支点凹所２２を支点として図４中左回りに回動し、可動接点２４ｂが固定接点２１ｂと開離するとともに、可動接点２４ａが固定接点２１ａと接触する。この時、反転ハンドル３０はコイルスプリング３２のばね力によって反転した状態を保持し、可動接点２４ａと固定接点２１ａとが接触した状態を保持する。
【００２４】
ところで、図１（ａ）（ｂ）に示すように、可動接点板１９上端部の略中央には、コイルスプリング３２の一端部に圧入される突出片１９ａが突設されており、突出片１９ａの左右両側部にはコイルスプリング３２の先端面と面接触する平坦面１９ｂ，１９ｂがそれぞれ形成されている。而して、コイルスプリング３２は、可動接点板１９に設けた平坦面１９ｂ，１９ｂと面接触することになり、従来のスイッチ装置のように可動接点板１９に設けた面取り部と接触する場合に比べて、コイルスプリング３２と可動接点板１９との接触面積を大きくとることができるから、可動接点板１９に対するコイルスプリング３２の位置を安定させることができる。また、コイルスプリング３２は一端部を可動接点板１９の突出片１９ａに圧入することにより、可動接点板１９に固定されているので、コイルスプリング３２と可動接点板１９との位置関係がさらに安定する。なお、突出片１９ａ先端の両角部１９ｃの形状は曲面形状に加工されているので、コイルスプリング３２を突出片１９ａに圧入する際にコイルスプリング３２の一端部を容易に誘い込むことができ、コイルスプリング３２の取付作業を容易に行える。
【００２５】
ところで、本基本構成のスイッチ装置では、接点部８として単極切り換えに用いる３路スイッチを用いているが、接点部８を３路スイッチに限定する趣旨のものではなく、図５〜図７に示すように、接点部８として単極単投に用いる単極スイッチ（所謂Ｂ接点タイプ）を用いても良い。尚、上述したスイッチ装置と同一の構成要素には同一の符号を付して、その説明を省略する。
【００２６】
このスイッチ装置の接点部８は端子板１１，１２と可動接点板１９とで構成される。端子板１１，１２はコ字状部１３，１４を有し、各コ字状部１３，１４にはそれぞれ一対の鎖錠ばね１５が収納されて、速結端子部６を構成している。端子板１１の中央片１３ａと当接片１３ｂとの連結部位には、端部に固定接点２１が設けられた略Ｌ字状の端子片２０が突設されており、他方の端子板１２の当接片１４ｂの端部からは、先端に可動接点板１９の揺動支点となる支点凹所２２が形成された支持片２３が突設されている。可動接点板１９は導電材料よりなる帯板から短冊状に形成され、一方の面には固定接点２１と接離自在に接触する可動接点２４が固着されている。
【００２７】
また、このスイッチ装置では、接点部８のオフ時に点灯してスイッチ装置の設置位置を表示するネオンランプ５３を有する点灯表示部５２を反転ハンドル３０内に組み込んである。点灯表示部５２は、合成樹脂製の回路基板５２ａにインサート成形されている端子板（図示せず）にネオンランプ５３及び抵抗Ｒを電気的に接続して成り、回路基板５２ａの略中央には圧入孔５２ｂが形成されている。そして、反転ハンドル３０内に設けられてコイルスプリング３２の一端部が挿入固定される棒状突起３０ａを上記圧入孔５２ｂに圧入することで回路基板５２ａが棒状突起３０ａに固定され反転ハンドル３０内に納装される。このとき、ネオンランプ５３及び抵抗Ｒは反転ハンドル３０内の棒状突起３０ａ周囲のスペースに収納される。
【００２８】
回路基板５２ａの長手方向一端側（端子板１１に対向する側）からは、回路基板５２ａにインサート成形される端子板と一体に形成され、端子板１１の上面部と接離自在に接触導通する端子片５２ｃが突出させてある。また、抵抗Ｒの一方の端子Ｒａが棒状突起３０ａの側面に設けた縦溝（図示せず）を通して棒状突起３０ａ内に挿入され、棒状突起３０ａの内部において抵抗Ｒの端子Ｒａとコイルスプリング３２とを接触導通させている。而して、可動接点板１９の可動接点２４が端子板１１の固定接点２１と開離（すなわち、接点部８がオフ）するように操作ハンドル３８を操作した場合には、回路基板５２ａの端部から突出する端子片５２ｃが端子板１１の中央片１３ａに接触導通し、可動接点板１９と接触導通しているコイルスプリング３２を介してネオンランプ５３並びに抵抗Ｒに電源が供給されてネオンランプ５３が点灯し、スイッチ装置の設置位置を表示することができる。一方、可動接点板１９の可動接点２４が端子板１１の固定接点２１と接触（すなわち、接点部８がオン）するように操作ハンドル３８を操作した場合には、回路基板５２ａの端子片５２ｃが端子板１１の上面部から開離するので、ネオンランプ５３が消灯する。
【００２９】
尚、本基本構成では、接点部８として３路スイッチや単極スイッチを用いたスイッチ装置を例として説明を行ったが、接点部８を３路スイッチや単極スイッチに限定する趣旨のものではなく、接点部８として２極単投に用いる２極スイッチ（所謂Ｄ接点タイプ）や、単極切換えに用いる４路スイッチ（所謂Ｅ接点タイプ）などのスイッチを用いても良いことは言うまでもない。また、本基本構成のスイッチ装置は位置表示機能を有しているが、位置表示機能を無くしても良いことは言うまでもない。
【００３０】
（実施形態１）
基本構成のスイッチ装置では、平坦面１９ｂの形成された可動接点板１９の部位を可動接点板１９の他の部位と略面一に形成しているが、本実施形態では、図８（ａ）（ｂ）に示すように、突出片１９ａの左右両側部をシャーリング切りにより切り起こし、平坦面１９ｂの形成された可動接点板１９の部位を可動接点板１９の平面方向と略直交する方向において互いに反対方向に突出させている。
【００３１】
コイルスプリング３２は、基本構成と同様に、一端部を可動接点板１９の突出片１９ａに圧入するとともに、突出片１９ａの両側に設けた平坦面１９ｂ，１９ｂと面接触させた状態で可動接点板１９に固定されているので、コイルスプリング３２の位置を安定させることができる。尚、可動接点板１９以外の構成は基本構成と同様であるので、可動接点板１９以外の部位についての図示及び説明は省略する。
【００３２】
（実施形態２）
基本構成のスイッチ装置では、平坦面１９ｂの形成された可動接点板１９の部位を可動接点板１９の他の部位と略面一に形成しているが、本実施形態では、図９（ａ）（ｂ）に示すように、可動接点板１９における突出片１９ａの左右両側部をそれぞれ反対方向にたたき出し、平坦面１９ｂの形成された可動接点板１９の部位を可動接点板１９の平面方向と略直交する方向において互いに反対方向に突出させている。しかも、平坦面１９ｂの形成された可動接点板１９の部位は、突出片１９ａとの連結部位から外側に行くにつれて、可動接点板１９の平面方向と略直交する方向への突出量が徐々に大きくなっており、平坦面１９ｂの形成された部位を他の部位と面一に形成した場合に比べて、コイルスプリング３２との接触面積が大きくなるから、コイルスプリング３２を可動接点板１９に取り付けた状態で、コイルスプリング３２の位置がさらに安定し、接点部の反転動作を安定して行わせることができる。尚、可動接点板１９以外の構成は基本構成と同様であるので、可動接点板１９以外の部位についての図示及び説明は省略する。
【００３３】
【発明の効果】
上述のように、請求項１の発明は、スイッチ本体の内部に収納された接点部と、該接点部の切換操作を行うためにスイッチ本体の表面に回動自在に設けられた操作部とを備え、接点部は、スイッチ本体内部に収められて外部の電線と接続される第１及び第２の端子板と、導電材料から平板状に形成され一面に可動接点を有し第１の端子板と接触した状態で回動する開閉体と、操作部に一端部が保持されるとともに他端部が開閉体に保持され操作部の回動操作に応じて開閉体に反転回動力を付与するコイルスプリングと、第２の端子板に設けられ開閉体の回動に応じて可動接点と接触・開離する固定接点とを具備し、コイルスプリングと対向する開閉体の部位にコイルスプリングの他端部内に挿入される突出片を設けるとともに、該突出片の両側部の各全面にコイルスプリングの他端部と面接触する１つの平坦面を各々形成し、平坦面の形成された開閉体の部位を、開閉体の平面方向と略直交する方向において反対側にそれぞれ突出させたことを特徴とし、開閉体の突出片をコイルスプリングの他端部内に挿入した状態で、突出片の両側部の各全面に設けた１つの平坦面とコイルスプリングの他端部とを面接触させているので、コイルスプリングが開閉体の端部に設けた面取り部で接触する場合に比べて、開閉体とコイルスプリングとの接触面積が増加し、開閉体が回動する場合でも開閉体に対するコイルスプリングの位置を常に安定させることができるという効果がある。したがって、コイルスプリングの反転回動力を開閉体に確実に作用させて、接点部の反転動作を安定して行わせることができるという効果がある。
【００３４】
請求項２の発明は、請求項１の発明において、平坦面の形成された開閉体の部位を、開閉体の平面方向と略直交する方向において反対側にそれぞれ突出させるとともに、平坦面の形成された開閉体の部位の平面方向と略直交する方向への突出量を、突出片との連結部位から外側に行くにつれて徐々に大きくしたことを特徴とし、請求項１の発明と同様、コイルスプリングの平坦面とコイルスプリングの他端部とを面接触させているので、コイルスプリングが開閉体の端部に設けた面取り部で接触する場合に比べて、開閉体とコイルスプリングとの接触面積が増加し、開閉体が回動した場合でも開閉体に対するコイルスプリングの位置を常に安定させることができるという効果がある。
【図面の簡単な説明】
【図１】  スイッチ装置の基本構成における可動接点板を示し、（ａ）は外観斜視図、（ｂ）はコイルスプリングの取付状態を説明する説明図である。
【図２】  同上のスイッチ装置の分解斜視図である。
【図３】  同上のスイッチ装置を示し、（ａ）は正面図、（ｂ）は下面図、（ｃ）は側面図である。
【図４】  同上のスイッチ装置の断面図である。
【図５】  同上の別のスイッチ装置の分解斜視図である。
【図６】  同上のスイッチ装置を示し、（ａ）は正面図、（ｂ）は下面図、（ｃ）は側面図である。
【図７】  同上のスイッチ装置の断面図である。
【図８】  実施形態１のスイッチ装置に用いる可動接点板を示し、（ａ）は外観斜視図、（ｂ）は上面図である。
【図９】  実施形態２のスイッチ装置に用いる可動接点板を示し、（ａ）は外観斜視図、（ｂ）は上面図である。
【符号の説明】
１９  可動接点板
１９ａ  突出片
１９ｂ  平坦面
２４ａ  可動接点
３２  コイルスプリング
【図１】
0003882497.tif 000002
【図２】
0003882497.tif 000003
【図３】
0003882497.tif 000004
【図４】
0003882497.tif 000005
【図５】
0003882497.tif 000006
【図６】
0003882497.tif 000007
【図７】
0003882497.tif 000008
【図８】
0003882497.tif 000009
【図９】
0003882497.tif 000010